(57)【特許請求の範囲】
【請求項１】
記録媒体の全幅に亘って延在し、前記記録媒体に液滴を吐出する液滴吐出部と、
液滴として吐出すべき液体を前記液滴吐出部に供給するとともに、前記液滴吐出部が弾性的に結合されている機構部と、
前記機構部に固定され、前記液滴吐出部を駆動する駆動回路部と、
を備え、
前記機構部には懸吊部が、前記液滴吐出部には被懸吊部が設けられ、前記液滴吐出部は、前記被懸吊部において、前記機構部の懸吊部から懸吊されるとともに、前記懸吊部と前記被懸吊部との間にはバネが介装されている
液滴吐出ヘッド。
【請求項２】
前記機構部は、液滴吐出部に液体を供給する液体供給ユニットと、前記液体供給ユニットと液滴吐出との間に位置し、前記液体供給ユニットから液滴吐出部へ供給される液体の温度を調節する温調ユニットと、を備える請求項１に記載の液滴吐出ヘッド。
【請求項３】
前記液滴吐出部は、複数の液滴吐出モジュールを有し、
前記液体供給ユニットは、液体が一時貯留される一時貯留タンクと、各液滴吐出モジュールごとに設けられ、前記一時貯留タンクと液滴吐出モジュールとの間で液体を循環させる還流路と、前記還流路を開閉する流体素子と、を備える
請求項２に記載の液滴吐出ヘッド。
【請求項４】
前記還流路は、前記一時貯留タンクから液体が流入する入口側端部、および還流路を循環した液体が前記一時貯留タンクに戻る出口側端部が夫々一体化されて入口側マニフォルドおよび出口側マニフォルドとされている請求項３に記載の液滴吐出ヘッド。
【請求項５】
前記液体供給ユニットは、更に、前記還流路における入口側マニフォルドおよび出口側マニフォルドでの液体の背圧を制御する背圧制御ユニットを備える請求項４に記載の液滴吐出ヘッド。
【請求項６】
前記駆動回路部は、前記液滴吐出部の長手方向に沿って前記機構部を両側から挟むように設けられている請求項１〜５の何れか１項に記載の液滴吐出ヘッド。
【請求項７】
前記駆動回路部は駆動回路を冷却する冷却ユニットを有する請求項１〜６の何れか１項に記載の液滴吐出ヘッド。
【請求項８】
前記液体としてインクを吐出する請求項１〜７の何れか１項に記載の液滴吐出ヘッド。
【請求項９】
前記機構部は、着脱可能な把手を有する請求項１〜８の何れか１項に記載の液滴吐出ヘッド。
【請求項１０】
請求項１〜９の何れか１項に記載の液滴吐出ヘッドと、前記液滴吐出ヘッドが１または複数着脱可能に装着される支持台と、を備える液滴吐出ユニット。
【請求項１１】
記録媒体を所定方向に搬送する記録媒体搬送ユニットと、前記記録媒体搬送ユニットで搬送される記録媒体に液滴を吐出する請求項１０に記載の液滴吐出ユニットと、を備える液滴吐出装置。
【発明の詳細な説明】
【技術分野】
【０００１】
本発明は、液滴吐出ヘッド、液滴吐出ユニット、および液滴吐出装置に関する。
【背景技術】
【０００２】
近年、記録用紙やフィルムなどの記録媒体の全幅に亘って延在する長尺印字ヘッドを静止させ、記録媒体を連続的に搬送して印字を行う所謂紙幅印字型インクジェットプリンタが広く使用されている。
【０００３】
このような紙幅印字型インクジェットプリンタとしては、たとえば、ノズルからインクを吐出して記録媒体に記録を行うインクジェット式記録装置であって、上記記録媒体の全幅に亘ってノズルが配置されたノズル面を含む複数のラインヘッドと、上記ノズル面に密着して、そのノズル面をクリーニングする複数のラインクリーニング手段とを備え、上記複数のラインクリーニング手段は、上記記録媒体に対してその幅方向の外方位置に、上記ラインヘッドに対応して上記記録媒体の搬送方向に並設されているとともに、前記ラインヘッドは記録媒体の幅方向に移動して、前記記録媒体上の記録位置とラインクリーニング手段上のクリーニング位置とに相互に位置を変更するインクジェット式記録装置（特許文献１）がある。
【特許文献１】特開２００５−０７４７６４号公報
【発明の開示】
【発明が解決しようとする課題】
【０００４】
インクジェットプリンタ特有の動作として印字ヘッドの回復動作がある。そして、前記回復動作において、印字ヘッドと用紙搬送系との何れを退避させるかにより、印字ヘッドを退避させる印字ヘッド退避式と、用紙搬送系を退避させる用紙搬送系退避式とに大別される。
【０００５】
インクジェットプリンタにおいては、印字ヘッド退避式と用紙搬送系退避式とを任意に選択できるが、たとえば用紙をベルトで搬送する形態のインクジェットプリンタにおいては、用紙搬送ベルトを退避させることにより、用紙搬送系退避式を採用できる。この場合、印字ヘッドは退避させる必要がないから、印字ヘッドを構成する印字部、インク供給部、および駆動回路部を個別にフレームに固定することで剛性の高い印字ヘッドを構成できる。
【０００６】
一方、これに対してドラムで用紙を搬送する形態のインクジェットプリンタにおいては、印字ヘッド退避式を選択するのが現実的である。
【０００７】
更に、通常、インクジェットプリンタにおいては、印字ヘッドは複数設けられているから、印字ヘッド退避式のインクジェットプリンタにおいては、回復部の動作との関係で、前記複数の印字ヘッドを一括して退避させるか、それとも個別に退避させるかを選択する必要がある。
【０００８】
また、印字ヘッドにおいては、ノズル面に形成されるメニスカスが破壊されないように、インクに加わる背圧を制御する背圧制御機構を設け、記録媒体の全幅に亘って延在している印字ヘッド全体にインクを供給する必要がある。したがって、紙幅印字型インクジェットプリンタにおいて印字ヘッド退避方式を選択した場合、インク供給部と駆動回路部と印字部とを有する印字ヘッドは、体積、質量ともに大きくなりがちである。
【０００９】
前記印字ヘッドにおいて良好な印字品質を得ようとするなら、少なくとも印字中は記録媒体に対して印字部を高精度に位置決めする必要がある。したがって、インク供給部の質量や歪みが印字部に影響を与えないようにする必要がある。
【００１０】
本発明は、上記問題を解決すべく成されたもので、インク供給部のような機構部と印字部のような液滴吐出部とを有する液滴吐出ヘッドにおいて、機構部の質量や歪みが液滴吐出部に影響を及ぼすのを抑止できる液滴吐出ヘッドを提供することを目的とする。
【課題を解決するための手段】
【００１１】
請求項１に記載の発明は、記録媒体の全幅に亘って延在し、前記記録媒体に液滴を吐出する液滴吐出部と、液滴として吐出すべき液体を前記液滴吐出部に供給するとともに、前記液滴吐出部が弾性的に結合されている機構部と、前記機構部に固定され、前記液滴吐出部を駆動する駆動回路部と、を備え、前記機構部には懸吊部が、前記液滴吐出部には被懸吊部が設けられ、前記液滴吐出部は、前記被懸吊部において、前記機構部の懸吊部から懸吊されるとともに、前記懸吊部と前記被懸吊部との間にはバネが介装されている液滴吐出ヘッドに関する。
【００１２】
請求項２に記載の発明は、請求項１に記載の液滴吐出ヘッドにおいて、前記機構部が、液滴吐出部に液体を供給する液体供給ユニットと、前記液体供給ユニットと液滴吐出との間に位置し、前記液体供給ユニットから液滴吐出部へ供給される液体の温度を調節する温調ユニットと、を備えるものに関する。
【００１３】
請求項３に記載の発明は、請求項１または２に記載の液滴吐出ヘッドにおいて、前記液滴吐出部が、複数の液滴吐出モジュールを有し、前記液体供給ユニットが、液体が一時貯留される一時貯留タンクと、各液滴吐出モジュールごとに設けられ、前記一時貯留タンクと液滴吐出モジュールとの間で液体を循環させる還流路と、前記液体流路を開閉する流体素子と、を備えるものに関する。
【００１４】
請求項４に記載の発明は、請求項３に記載の液滴吐出ヘッドにおいて、環流路の一時貯留タンクから液体が流入する入口側端部、および還流路を循環した液体が前記一時貯留タンクに戻る出口側端部が夫々一体化されて入口側マニフォルドおよび出口側マニフォルドとされているものに関する。
【００１５】
請求項５に記載の発明は、請求項４に記載の液滴吐出ヘッドにおいて、前記液体供給ユニットが、更に、前記還流路における入口側マニフォルドおよび出口側マニフォルドでの液体の背圧を制御する背圧制御ユニットを備えるものに関する。
【００１６】
請求項６に記載の発明は、請求項１〜５の何れか１項に記載の液滴吐出ヘッドにおいて、前記駆動回路部が、前記液滴吐出部の長手方向に沿って前記機構部を両側から挟むように設けられているものに関する。
【００１７】
請求項７に記載の発明は、請求項１〜６の何れか１項に記載の液滴吐出ヘッドにおいて、前記駆動回路部が駆動回路を冷却する冷却ユニットを有するものに関する。
【００１８】
請求項８に記載の発明は、請求項１〜７の何れか１項に記載の液滴吐出ヘッドにおいて、前記液体としてインクを吐出するものに関する。
【００１９】
請求項９に記載の発明は、請求項１〜８の何れか１項に記載の液滴吐出ヘッドにおいて、前記機構部が着脱可能な把手を有するものに関する。
【００２０】
請求項１０に記載の発明は、請求項１〜９の何れか１項に記載の液滴吐出ヘッドと、前記液滴吐出ヘッドが１または複数着脱可能に装着される支持台と、を備える液滴吐出ユニットに関する。
【００２１】
請求項１１に記載の発明は、記録媒体を所定方向に搬送する記録媒体搬送ユニットと、前記記録媒体搬送ユニットで搬送される記録媒体に液滴を吐出する請求項１０に記載の液滴吐出ユニットと、を備える液滴吐出装置に関する。
【発明の効果】
【００２２】
請求項１の発明によれば、液滴吐出部は機構部に弾性結合されているから、液滴吐出部が機構部に剛直に結合された液滴吐出ヘッドと比較して機構部の剛性が液滴吐出部に及ぼす影響を大幅に低減でき、したがって、液滴吐出部を高精度で位置決めできる液滴吐出ヘッドが提供される。
【００２３】
請求項２の発明によれば、前記液体供給ユニットから導出された液体は、温調ユニットによって所定の液温に調節されてから液滴吐出部に供給されるから、温調ユニットにおいて液温を適切な液滴吐出が行える温度に設定することにより、環境温度の如何にかかわらず、液滴を適正に吐出することのできる液滴吐出ヘッドが提供される。
【００２４】
請求項３の発明によれば、流体素子を開閉することにより、液滴吐出モジュール毎に回復動作を行え、しかも、回復動作において、詰まりや気泡の生じた液滴吐出モジュールに連通する流体素子以外の流体素子を閉止することにより、前記液滴吐出モジュールに液体を集中的に供給して詰まりや気泡を効果的に除去できる液滴吐出ヘッドが提供される。
【００２５】
請求項４の発明によれば、入口側マニフォルドおよび出口側マニフォルドを一時貯留タンクに接続することにより、一時貯留タンクと還流路と液滴吐出モジュールとの間で循環路が形成されるから、配管の容易な液滴吐出ヘッドが提供される。
【００２６】
請求項５の発明によれば、背圧制御ユニットにおいて還流路における入口側マニフォルドと出口側マニフォルドとの背圧を制御することにより、液滴吐出モジュールにおけるノズル面でのメニスカス破壊を効果的に抑止できる液滴吐出ヘッドが提供される。
【００２７】
請求項６の発明によれば、前記駆動回路部が機構部を両側から挟むように設けられている故に、前記駆動回路部と液滴吐出ヘッドとの間の配線が短くでき、また、前記駆動回路部の点検や交換が容易な液滴吐出ヘッドが提供される。
【００２８】
請求項７の発明によれば、冷却手段によって駆動回路部が冷却されることにより、高密度の画像信号が長時間入力されるなどの理由により駆動回路部の負荷が増大しても駆動回路部が過熱することのない液滴吐出ヘッドが提供される。
【００２９】
請求項８の発明によれば、インクジェットプリンタにおける印字ヘッドとして好適に使用される液滴吐出ヘッドが提供される。
【００３０】
請求項９の発明によれば、把手の無いものと比較して持ち運びや支持台への装着、脱着が容易な液滴吐出ヘッドが提供される。
【００３１】
請求項１０の発明によれば、液滴吐出ヘッドを支持台に装着した状態において、液滴吐出ヘッドの機構部の剛性によって液滴吐出部が歪み、液滴吐出部のノズル面から記録媒体までの距離が変化するのを最小限に抑えることができる液滴吐出ユニットが提供される。
【００３２】
請求項１１の発明によれば、液滴吐出ユニットにおいて液滴吐出ヘッドの機構部の剛性によって液滴吐出部が歪み、液滴吐出部のノズル面から記録媒体までの距離が変化して記録媒体に吐出された液滴の大きさが変化するのが効果的に抑止され、その結果、良好な印字品質の得られる液滴吐出装置が提供される。
【発明を実施するための最良の形態】
【００３３】
本発明に係る液滴吐出装置の一例であるインクジェット記録装置、および本発明の液滴吐出ヘッドの一例であって前記インクジェット記録装置が備えるインクジェット記録ヘッドについて説明する。
【００３４】
［構成］
図１に示すように、インクジェット記録装置１０は、画像が記録される前の記録用紙Ｐが収容される給紙部１２と、この給紙部１２から供給された記録用紙Ｐに画像を記録する画像記録部１４と、画像記録部１４へ記録用紙Ｐを搬送する搬送手段１６と、画像記録部１４によって画像が記録された後の記録用紙Ｐを収容する排紙部１８と、を有している。
【００３５】
画像記録部１４は、インクジェット記録ヘッド２０を有しており、このインクジェット記録ヘッド２０は、複数のノズル（図示省略）が形成されたノズル面２２を有している。このノズル面２２は、本発明の記録媒体の一例であってインクジェット記録装置１０で画像が形成される記録用紙Ｐの最大幅と同程度か、又はそれ以上の記録可能領域を有している。
【００３６】
また、インクジェット記録ヘッド２０は、記録用紙Ｐの搬送方向に対して、その下流側からイエロー（Ｙ）、マゼンタ（Ｍ）、シアン（Ｃ）、ブラック（Ｋ）の順に並設されており、サーマル方式や圧電方式等の公知の手段によって、インク滴が吐出されるように構成されている。なお、そのインクとしては、水性インク、油性インク、溶剤系インク等、各種インクが使用可能であり、インクジェット記録装置１０には、各インクジェット記録ヘッド２０Ｙ〜２０Ｋにインクを供給するインクタンク（図示省略）が配設されている。
【００３７】
搬送手段１６は、給紙部１２中の記録用紙Ｐを１枚ずつ取り出す（ピックアップする）ピックアップドラム２４と、画像記録部１４のインクジェット記録ヘッド２０へ記録用紙Ｐを搬送し、その印刷面（表面）をインクジェット記録ヘッド２０に対面させる搬送体としての搬送ドラム２６と、画像が記録された記録用紙Ｐを排紙部１８へ送り出す送出ドラム２８と、を有している。そして、ピックアップドラム２４、搬送ドラム２６、送出ドラム２８は、それぞれ記録用紙Ｐがその周面に静電的吸着手段、或いは吸引や粘着などの非静電的吸着手段によって保持されるように構成されている。
【００３８】
また、ピックアップドラム２４、搬送ドラム２６、送出ドラム２８には、それぞれ記録用紙Ｐの搬送方向下流側端部を挟んで保持する保持手段としてのグリッパー３０が、例えば２組ずつ備えられており、これら３個のドラム２４、２６、２８は、それぞれその周面に記録用紙Ｐを、この場合は２枚まで保持可能に構成されている。そして、グリッパー３０は、各ドラム２４、２６、２８の周面に２つずつ形成された凹部２４Ａ、２６Ａ、２８Ａ内に設けられている。
【００３９】
すなわち、各ドラム２４、２６、２８の凹部２４Ａ、２６Ａ、２８Ａ内の所定位置には、各ドラム２４、２６、２８の回転軸３２と平行に回転軸３４が軸架されており、この回転軸３４には、その軸方向に所定間隔を隔てて（例えば等間隔に）複数のグリッパー３０が固定されている。したがって、回転軸３４が図示しないアクチュエーターによって正逆両方向に回転することにより、グリッパー３０が各ドラム２４、２６、２８の略周方向に沿って正逆両方向に回転し、記録用紙Ｐの搬送方向下流側端部を挟んで保持したり、離したりすることができるようになっている。
【００４０】
つまり、グリッパー３０は、その先端部が各ドラム２４、２６、２８の周面から若干突出するように回転することで、ピックアップドラム２４の周面と搬送ドラム２６の周面とが対面する受渡位置３６において、ピックアップドラム２４のグリッパー３０から搬送ドラム２６のグリッパー３０へ記録用紙Ｐを受け渡すことができ、搬送ドラム２６の周面と送出ドラム２８の周面とが対面する受渡位置３８において、搬送ドラム２６のグリッパー３０から送出ドラム２８のグリッパー３０へ記録用紙Ｐを受け渡すことができるようになっている。
【００４１】
なお、図示しないが、このインクジェット記録装置１０には、画像信号に応じてインク滴の吐出タイミングと使用するノズルを決定し、そのノズルに駆動信号を印加するインクジェット記録ヘッド２０の制御手段と、インクジェット記録装置１０全体の動作を制御するシステム制御手段が備えられている。
【００４２】
以下、インクジェット記録ヘッド２０の構成について詳述する。
【００４３】
インクジェット記録ヘッド２０は、図２及び図３に示すように、記録用紙Ｐの幅方向に沿って記録用紙Ｐの全幅に亘って延在するとともに、記録用紙Ｐにインク滴を吐出するインクジェット記録部２００と、吐出すべきインクをインクジェット記録部２００に供給する機構部２０２と、機構部２０２の両面に固定され、インクジェット記録部２００を駆動する駆動回路部２０４とを備える。インクジェット記録部２００は、本発明における液滴吐出部に相当する。
【００４４】
インクジェット記録部２００は、図２〜図７に示すように１７個のインクジェット記録モジュール２０５と、インクジェット記録モジュール２０５を保持するモジュール保持ブロック２０６と、モジュール保持ブロック２０６の両端に固定された被懸吊部２０７とを備える。
【００４５】
インクジェット記録部２００は、被懸吊部２０７において機構部２０２の下方に弾性的に懸吊されている。
【００４６】
インクジェット記録モジュール２０５は、本発明の液滴吐出モジュールに相当し、下面には図２に示すようにノズル面２２が形成されているとともに、ノズル面２２には所定のピッチでノズル孔（図示せず。）が形成されている。ノズル孔は千鳥状に配置されても、碁盤目状に配置されてもよい。そして、各ノズル孔に対応してピエゾ素子などの圧電素子（図示せず。）が設けられ、各圧電素子は、プリント配線（図示せず。）を介して駆動回路部２０４のなかの記録モジュール駆動回路２０４Ａに接続されている。
【００４７】
機構部２０２は、図２に示すように、前記インクタンクから供給されたインクを一時貯留する一時貯留タンク２０８と、一時貯留タンク２０８と各インクジェット記録モジュール２０５との間でインクを循環させる還流路２０９と、還流路２０９を断続する流体素子２１０、２１１と、還流路２０９の入口側および出口側の背圧を制御する背圧制御ユニット２１２と、還流路２０９を流通するインクの温度を調節する温調ユニット２１４と、一時貯留タンク２０８、還流路２０９、流体素子２１０、２１１、背圧制御ユニット２１２、および温調ユニット２１４を所定の位置に保持する枠体２１６とを備える。
【００４８】
一時貯留タンク２０８および背圧制御ユニット２１２は、枠体２１６の上側に、流体素子２１０、２１１、および還流路２０９は枠体２１６の内側に設けられている。そして、温調ユニット２１４は、枠体２１６の下端縁を形成する枠の内側に設けられている。
【００４９】
還流路２０９は、インクジェット記録モジュール２０５毎に設けられ、一時貯留タンク２０８から各インクジェット記録モジュール２０５へインクを供給する供給側流路２０９Ａと、各インクジェット記録モジュール２０５から一時貯留タンク２０８へインクを戻す戻り側流路２０９Ｂとに分かれている。流体素子２１０は供給側流路２０９Ａを断続し、流体素子２１１は戻り側流路２０９Ｂを断続する。供給側流路２０９Ａの入口側端部は一体化されて入口側マニフォルド（図示せず）を形成する。同様に、戻り側流路２０９Ｂの出口側端部は一体化されて出口側マニフォルド（図示せず。）を形成する。背圧制御ユニット２１２は入口側マニフォルドおよび出口側マニフォルドに接続されている。
【００５０】
温調ユニット１４も、還流路２０９と同様にインクジェット記録モジュール２０５毎に設けられ、図３に示すように、プリント配線２１５によって駆動回路部２０４のなかの温調回路２０４Ｂに接続されている。
【００５１】
図２〜図７に示すように、枠体２１６の下縁部の両端から外側に向かってインクジェット記録部２００を懸吊する懸吊部２１７が設けられている。また、枠体２１６の両側縁を形成する枠から外側に向かって腕装着部２１８が突出している。腕装着部２１８には、図５に示すように腕状の把手腕部２２０が着脱可能に装着される。把手腕部２２０には棒状の把手本体２２２が装着され、把手腕部２２０と把手本体２２２とで全体として把手を形成する。
【００５２】
図３に示すように、駆動回路部２０４の上端には、記録モジュール駆動回路２０４Ａおよび温調回路２０４Ｂなどの各種回路を冷却するための冷却ファン２０４Ｃが設けられている。そして、図４および図５に示すように、駆動回路部２０４は保護カバー２０４Ｄで覆われている。なお、保護カバー２０４Ｄの上端は、冷却ファン２０４Ｃを覆う保護カバー２０４Ｅとされている。また、機構部２０２における一時貯留タンク２０８および背圧制御ユニット２１２もまた、保護カバー２１９で覆われている。
【００５３】
以下、インクジェット記録部２００が機構部２０２の下方にどのように懸吊されているかについて詳細に説明する。
【００５４】
図６及び図７に示すように、インクジェット記録部２００における被懸吊部２０７の上面には、上下方向に沿って延在するピン２０７Ａが植設されている。そしてピン２０７Ａは、機構部２０２における懸吊部２１７に設けられた開口部に挿通されている。ピン２０７Ａの先端は外側に膨出し、バネ受け台座として機能する膨出部２０７Ｂが形成されている。ピン２０７Ａにおける膨出部２０７Ｂと懸吊部２１７との間にはコイルバネ２２４が介装されている。なお、ピン２０７Ａの膨出部２０７Ｂと懸吊部２１７との間にコイルバネ２２４を介装する代わりに、懸吊部２１７の下面と被懸吊部２０７の上面との間にゴムバネや板バネを介装してもよい。
【００５５】
［作用］
以下、実施形態１に係るインクジェット記録装置１０の作用について説明する。
【００５６】
以上のような構成のインクジェット記録装置１０において、次にその作用について説明する。給紙部１２からピックアップドラム２４のグリッパー３０により１枚ずつピックアップされて保持された記録用紙Ｐは、ピックアップドラム２４の周面に吸着されつつ搬送され、受渡位置３６において、ピックアップドラム２４のグリッパー３０から搬送ドラム２６のグリッパー３０へ受け渡される。
【００５７】
搬送ドラム２６のグリッパー３０により保持された記録用紙Ｐは、その搬送ドラム２６に吸着されつつインクジェット記録ヘッド２０の画像記録位置まで搬送され、そのインクジェット記録ヘッド２０から吐出されるインク滴により、印刷面に画像が形成される。
【００５８】
印刷面に画像が形成された記録用紙Ｐは、受渡位置３８において、搬送ドラム２６のグリッパー３０から送出ドラム２８のグリッパー３０へ受け渡される。そして、送出ドラム２８のグリッパー３０により保持された記録用紙Ｐは、その送出ドラム２８に吸着されつつ搬送され、排紙部１８へ供給される。こうして、一連の画像形成が終了する。
【００５９】
ここで、インクジェット記録ヘッド２０を交換する際は、図５に示すように腕装着部２１８に把手腕部２２０を装着し、把手腕部２２０に把手本体２２２を挿通する。このようにして形成された把手を把持することにより、画像記録部１４からのインクジェット記録ヘッド２０の脱着が容易に行える。
【００６０】
上述のように、各インクジェット記録ヘッド２０においてインクジェット記録部２００はコイルバネ２２４によって機構部２０２に弾性的に懸吊されているから、インクジェット記録ヘッド２０を画像記録部１４に装着したときに、機構部２０２の剛性によってインクジェット記録部２００が受ける変形ストレスを大幅に低減できる。したがって、インクジェット記録部２００は高精度で位置決めできるから、インクジェット記録ヘッド２０を画像記録部１４に装着、脱着したときのインクジェット記録部２００の位置の変動、言い換えればノズル面２２の位置の変動を最小限に抑えることができる。
【００６１】
以上、本発明の液滴吐出ヘッドをインクジェットプリンタ型液滴吐出装置の印字ヘッドとして使用した例について説明したが、本発明の液滴吐出ヘッドは、インクを吐出させて画像形成を行う以外に、たとえば銅やアルミニウム等の金属、またはＩＴＯなどの導電性酸化物の微細粒子を有機溶媒または水に懸濁させた懸濁液を基板やフィルムなどに吐出して回路パターンを形成するのにも使用することができる。
【図面の簡単な説明】
【００６２】
【図１】図１は、実施形態１に係るインクジェット記録装置の全体的な構成を示す概略図である。
【図２】図２は、図１に示すインクジェット記録装置の備えるインクジェット記録ヘッドにおいて駆動回路部を除去した構成を示す斜視図である。
【図３】図３は、前記インクジェット記録ヘッドにおいてインクジェット記録部および機構部に対する駆動回路部の相対的な位置関係を示す斜視図である。
【図４】図４は、前記インクジェット記録ヘッドにおいて駆動回路部に保護カバーを被せたところを示す斜視図である。
【図５】図５は、前記インクジェット記録ヘッドに把手腕部を設けたところを示す視図である。
【図６】図６は、前記インクジェット記録ヘッドにおいて機構部にインクジェット記録部を弾性的に懸吊する機構の詳細を示す斜視図である。
【図７】図７は、前記インクジェット記録ヘッドにおいて機構部にインクジェット記録部を弾性的に懸吊する機構の詳細を示す斜視図である。
【符号の説明】
【００６３】
１０    インクジェット記録装置
１２    給紙部
１４    画像記録部
１６    搬送手段
１８    排紙部
２０    インクジェット記録ヘッド
２０Ｙ  インクジェット記録ヘッド
２０Ｍ  インクジェット記録ヘッド
２０Ｃ  インクジェット記録ヘッド
２０Ｋ  インクジェット記録ヘッド
２２    ノズル面
２００    インクジェット記録部
２０２    機構部
２０４    駆動回路部
２０４Ａ  記録モジュール駆動回路
２０４Ｂ  温調回路
２０４Ｃ  冷却ファン
２０４Ｄ  保護カバー
２０４Ｅ  保護カバー
２０５    インクジェット記録モジュール
２０６    モジュール保持ブロック
２０７    被懸吊部
２０７Ａ  ピン
２０７Ｂ  膨出部
２０８    一時貯留タンク
２０９    還流路
２０９Ａ  供給側流路
２０９Ｂ  戻り側流路
２１０    流体素子
２１１    流体素子
２１２    背圧制御ユニット
２１４    温調ユニット
２１５    プリント配線
２１６    枠体
２１７    懸吊部
２１８    腕装着部
２１９    保護カバー
２２０    把手腕部
２２２    把手本体
２２４    コイルバネ
【図１】
0005398171.tif 000002
【図２】
0005398171.tif 000003
【図３】
0005398171.tif 000004
【図４】
0005398171.tif 000005
【図５】
0005398171.tif 000006
【図６】
0005398171.tif 000007
【図７】
0005398171.tif 000008